(57)【要約】無線通信システムにおいて、同じアクセス・ポイント名（ＡＰＮ）への複数のパケット・データ・ネットワーク（ＰＤＮ）接続の実施のための装置および方法は、第１のＡＰＮへの第１のパケット・データ・ネットワーク（ＰＤＮ）接続に関連するメッセージを、モバイル・デバイスから受信することと、このメッセージに応じて、モバイル・デバイスに関連する第１のＰＤＮ接続を、モバイル・デバイスとアクセス・ポイントとの間のラジオ接続に関連付けることと、を含む。一例において、この装置および方法はさらに、第１のＡＰＮへ少なくとも１つの追加のＰＤＮ接続を介して通信するために、アクセス・ポイントとの少なくとも１つの追加のラジオ接続をモバイル・デバイスが利用するのか否かを判定することを含む。
2013538483.tif 000002
【特許請求の範囲】
【請求項１】
無線通信システムにおける同じアクセス・ポイント名（ＡＰＮ）への複数のパケット・データ・ネットワーク（ＰＤＮ）接続の実施のための方法であって、
第１のＡＰＮへの第１のパケット・データ・ネットワーク（ＰＤＮ）接続に関連するメッセージを、モバイル・デバイスから受信することと、
前記メッセージに応じて、前記モバイル・デバイスに関連する前記第１のＰＤＮ接続を、前記モバイル・デバイスとアクセス・ポイントとの間のラジオ接続に関連付けることと、
を備える方法。
【請求項２】
前記第１のＡＰＮへ少なくとも１つの追加のＰＤＮ接続を介して通信するために、前記アクセス・ポイントとの少なくとも１つの追加のラジオ接続を前記モバイル・デバイスが利用するか否かを判定すること、をさらに備える請求項１に記載の方法。
【請求項３】
前記アクセス・ポイントは、ターゲット・アクセス・ポイントである、請求項２に記載の方法。
【請求項４】
前記アクセス・ポイントは、ソース・アクセス・ポイントである、請求項２に記載の方法。
【請求項５】
前記メッセージは、前記モバイル・デバイスを、ソース・アクセス・ポイントからターゲット・アクセス・ポイントへハンドオーバさせることに関連するハンドオーバ・メッセージである、請求項２に記載の方法。
【請求項６】
前記少なくとも１つの追加のラジオ接続を前記モバイル・デバイスが利用するものと判定することに少なくとも部分的に基づいて、前記少なくとも１つの追加のＰＤＮ接続を無効化すること、をさらに備える請求項２に記載の方法。
【請求項７】
前記少なくとも１つの追加のＰＤＮ接続は、前記少なくとも１つの追加のＰＤＮ接続を閉じるために、無効化メッセージを、前記モバイル・デバイスへ送信することを含む、請求項６に記載の方法。
【請求項８】
前記無効化メッセージは、ＰＭＩＰｖ６プロキシ・バインディング・アップデート・メッセージのバインディング無効化インジケーション・メッセージである、請求項７に記載の方法。
【請求項９】
前記第１のＰＤＮ接続を関連付けることは、前記ラジオ接続に対応するアドレスを受信することと、前記第１のＰＤＮ接続を前記アドレスへ関連付けることとを含む、請求項２に記載の方法。
【請求項１０】
前記判定することは、前記少なくとも１つの追加のラジオ接続に関連する別のアドレスが、前記ラジオ接続に対応するアドレスと異なるか否かを判定することを備える、請求項９に記載の方法。
【請求項１１】
前記ハンドオーバ・メッセージを受信すると、タイマを初期化すること、をさらに備える請求項５に記載の方法。
【請求項１２】
前記判定することは、前記タイマの終了後に実行される、請求項１１に記載の方法。
【請求項１３】
前記第１のＰＤＮ接続は、３ＧＰＰネットワークに関連し、前記少なくとも１つの追加のＰＤＮ接続は、ＩＰネットワークに関連する、請求項２に記載の方法。
【請求項１４】
前記判定することは、少なくとも１つのＩＰアドレスまたは気付アドレス（ＣｏＡ）に基づいて実行される、請求項２に記載の方法。
【請求項１５】
無線通信システムにおける同じアクセス・ポイント名（ＡＰＮ）への複数のパケット・データ・ネットワーク（ＰＤＮ）接続の実施のための装置であって、
プロセッサとメモリとを備え、
前記メモリは、
第１のＡＰＮへの第１のパケット・データ・ネットワーク（ＰＤＮ）接続に関連するメッセージを、モバイル・デバイスから受信することと、
前記メッセージに応じて、前記モバイル・デバイスに関連する前記第１のＰＤＮ接続を、前記モバイル・デバイスとアクセス・ポイントとの間のラジオ接続に関連付けることと、
を実行するために、前記プロセッサによって実行可能なプログラム・コードを備える、装置。
【請求項１６】
前記メモリはさらに、前記第１のＡＰＮへ少なくとも１つの追加のＰＤＮ接続を介して通信するために、前記アクセス・ポイントとの少なくとも１つの追加のラジオ接続を前記モバイル・デバイスが利用するか否かを判定することのためのプログラム・コードを備える、請求項１５に記載の装置。
【請求項１７】
前記アクセス・ポイントは、ターゲット・アクセス・ポイントである、請求項１６に記載の装置。
【請求項１８】
前記アクセス・ポイントは、ソース・アクセス・ポイントである、請求項１６に記載の装置。
【請求項１９】
前記メッセージは、前記モバイル・デバイスを、ソース・アクセス・ポイントからターゲット・アクセス・ポイントへハンドオーバさせることに関連するハンドオーバ・メッセージである、請求項１６に記載の装置。
【請求項２０】
前記メモリはさらに、前記少なくとも１つの追加のラジオ接続を前記モバイル・デバイスが利用するものと判定することに少なくとも部分的に基づいて、前記少なくとも１つの追加のＰＤＮ接続を無効化することのためのプログラム・コードを備える、請求項１６に記載の装置。
【請求項２１】
前記メモリはさらに、前記少なくとも１つの追加のＰＤＮ接続を閉じるために、無効化メッセージを、前記モバイル・デバイスへ送信するためのプログラム・コードを備える、請求項２０に記載の装置。
【請求項２２】
前記無効化メッセージは、ＰＭＩＰｖ６プロキシ・バインディング・アップデート・メッセージのバインディング無効化インジケーション・メッセージである、請求項２１に記載の装置。
【請求項２３】
前記メモリはさらに、ラジオ接続に対応するアドレスを受信することと、前記第１のＰＤＮ接続を前記アドレスへ関連付けることとのためのプログラム・コードを備える、請求項１６に記載の装置。
【請求項２４】
前記メモリはさらに、前記少なくとも１つの追加のラジオ接続に関連する別のアドレスが、前記ラジオ接続に対応するアドレスと異なるか否かを判定することのためのプログラム・コードを備える、請求項２３に記載の装置。
【請求項２５】
前記メモリはさらに、前記ハンドオーバ・メッセージを受信すると、タイマを初期化することのためのプログラム・コードを備える、請求項１９に記載の装置。
【請求項２６】
前記第１のＰＤＮ接続は、３ＧＰＰネットワークに関連し、前記少なくとも１つの追加のＰＤＮ接続は、ＩＰネットワークに関連する、請求項１６に記載の装置。
【請求項２７】
無線通信システムにおける同じアクセス・ポイント名（ＡＰＮ）への複数のパケット・データ・ネットワーク（ＰＤＮ）接続の実施のための装置であって、
第１のＡＰＮへの第１のパケット・データ・ネットワーク（ＰＤＮ）接続に関連するメッセージを、モバイル・デバイスから受信する手段と、
前記メッセージに応じて、前記モバイル・デバイスに関連する前記第１のＰＤＮ接続を、前記モバイル・デバイスとアクセス・ポイントとの間のラジオ接続に関連付ける手段と、
を備える装置。
【請求項２８】
前記第１のＡＰＮへ少なくとも１つの追加のＰＤＮ接続を介して通信するために、前記アクセス・ポイントとの少なくとも１つの追加のラジオ接続を前記モバイル・デバイスが利用するか否かを判定する手段、をさらに備える請求項２７に記載の装置。
【請求項２９】
前記アクセス・ポイントは、ターゲット・アクセス・ポイントである、請求項２８に記載の装置。
【請求項３０】
前記アクセス・ポイントは、ソース・アクセス・ポイントである、請求項２８に記載の装置。
【請求項３１】
前記メッセージは、前記モバイル・デバイスを、ソース・アクセス・ポイントからターゲット・アクセス・ポイントへハンドオーバさせることに関連するハンドオーバ・メッセージである、請求項２８に記載の装置。
【請求項３２】
前記少なくとも１つの追加のラジオ接続を前記モバイル・デバイスが利用するものと判定することに少なくとも部分的に基づいて、前記少なくとも１つの追加のＰＤＮ接続を無効化する手段、をさらに備える請求項２８に記載の装置。
【請求項３３】
前記少なくとも１つの追加のＰＤＮ接続を閉じるために、無効化メッセージを、前記モバイル・デバイスへ送信する手段、をさらに備える請求項３２に記載の装置。
【請求項３４】
前記無効化メッセージは、ＰＭＩＰｖ６プロキシ・バインディング・アップデート・メッセージのバインディング無効化インジケーション・メッセージである、請求項３３に記載の装置。
【請求項３５】
前記第１のＰＤＮ接続を関連付ける手段は、前記ラジオ接続に対応するアドレスを受信し、前記第１のＰＤＮ接続を前記アドレスへ関連付ける手段を備える、請求項２８に記載の装置。
【請求項３６】
前記判定する手段は、前記少なくとも１つの追加のラジオ接続に関連する別のアドレスが、前記ラジオ接続に対応するアドレスと異なるか否かを判定する手段を備える、請求項３５に記載の装置。
【請求項３７】
ハンドオーバ・メッセージを受信すると、タイマを初期化する手段をさらに備える、請求項３１に記載の装置。
【請求項３８】
前記判定する手段は、前記タイマの終了後にイネーブルされる、請求項３７に記載の装置。
【請求項３９】
前記第１のＰＤＮ接続は、３ＧＰＰネットワークに関連し、前記少なくとも１つの追加のＰＤＮ接続は、ＩＰネットワークに関連する、請求項２７に記載の装置。
【請求項４０】
前記判定する手段は、少なくとも１つのＩＰアドレスまたは気付アドレス（ＣｏＡ）に基づいてイネーブルされる、請求項２８に記載の装置。
【請求項４１】
第１のＡＰＮへの第１のパケット・データ・ネットワーク（ＰＤＮ）接続に関連するメッセージを、モバイル・デバイスから受信することと、
前記メッセージに応じて、前記モバイル・デバイスに関連する前記第１のＰＤＮ接続を、前記モバイル・デバイスとアクセス・ポイントとの間のラジオ接続に関連付けることと、をコンピュータに実行させるためのコードを有するコンピュータ読み取り可能な媒体、を備えるコンピュータ・プログラム製品。
【請求項４２】
第１のＡＰＮへ少なくとも１つの追加のＰＤＮ接続を介して通信するために、モバイル・デバイスが、アクセス・ポイントとの少なくとも１つの追加のラジオ接続を利用するか否かを判定させるためのコードをさらに備える、請求項４１に記載のコンピュータ・プログラム製品。
【請求項４３】
前記少なくとも１つの追加のラジオ接続を前記モバイル・デバイスが利用するものと判定することに少なくとも部分的に基づいて、前記少なくとも１つの追加のＰＤＮ接続を無効化するか、または、前記少なくとも１つの追加のＰＤＮ接続を閉じるために、前記モバイル・デバイスへ無効化メッセージを送信することによって、前記少なくとも１つの追加のＰＤＮ接続を無効化することをさせるためのコードをさらに備える、請求項４２に記載のコンピュータ・プログラム製品。
【発明の詳細な説明】
【優先権主張】
【０００１】
本願は、本願の譲受人に譲渡され本明細書において参照によって明確に組み込まれた、２０１０年７月１３日出願のApparatus and Method for Enforcement of Multiple PDN Connections to the Same APN（同じＡＰＮへの複数のＰＤＮ接続の実施のための装置および方法）と題された米国仮出願６１／３６３，９３９の優先権を主張する。
【技術分野】
【０００２】
本開示は、一般に、無線通信のための装置および方法に関する。さらに詳しくは、本開示は、無線通信システムにおける同じアクセス・ポイント名（ＡＰＮ）への複数のパケット・データ・ネットワーク（ＰＤＮ）接続の実施に関する。
【背景技術】
【０００３】
無線通信システムは、例えば、音声、データ等のようなさまざまなタイプの通信コンテンツを提供するために広く開発された。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００４】
一般に、無線多元接続通信システムは、複数の無線端末のための通信を同時にサポートすることができる。端末はおのおのの、順方向リンクおよび逆方向リンクによる送信を介して、１または複数の基地局と通信する。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システム等によって確立されうる。
【０００５】
ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与えうる。
【０００６】
ＭＩＭＯシステムは、時分割デュプレクス（ＴＤＤ）システムおよび周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビーム・フォーミング・ゲインを抽出できるようになる。
【０００７】
３ＧＰＰでは、例えば、無線端末は、複数のパケット・データ・ネットワーク（ＰＤＮ）にアクセスするために、基地局へ接続しうる。この例では、ＰＤＮにアクセスすることを容易にするために、基地局は、（例えば、１または複数のサービス提供ゲートウェイまたはその他を介して）ＰＤＮゲートウェイと通信しうる。一例では、無線端末は、所与のＡＰＮが基地局またはその一部と関連しうる１または複数のアクセス・ポイント名（ＡＰＮ）を用いて、複数のＰＤＮへ接続しうる。
【０００８】
１つの態様では、ＡＰＮは、ネットワーク・サービスにアクセスするために、モバイル・デバイス（別名、ユーザ機器（ＵＥ））によって使用される設定可能なネットワーク識別子である。３ＧＰＰ規格は、ＵＥが、異なるラジオ・アクセスを介して、異なるＡＰＮへの複数のＰＤＮ接続を使用しうることを明示している。同じＡＰＮの場合、３ＧＰＰ規格は、同じＡＰＮへの複数のＰＤＮ接続が、同じラジオ・アクセスを用いることを要求する。しかしながら、同じＡＰＮのための同じラジオ・アクセスというこの制約を強制するための明示的なメカニズムは存在しない。
【発明の概要】
【０００９】
同じアクセス・ポイント名（ＡＰＮ）への複数のパケット・データ・ネットワーク（ＰＤＮ）接続を実施するための装置および方法が開示される。１つの態様によれば、無線通信システムにおける同じアクセス・ポイント名（ＡＰＮ）への複数のパケット・データ・ネットワーク（ＰＤＮ）接続の実施のための方法は、第１のＡＰＮへの第１のパケット・データ・ネットワーク（ＰＤＮ）接続に関連するメッセージを、モバイル・デバイスから受信することと、このメッセージに応じて、モバイル・デバイスに関連する第１のＰＤＮ接続を、モバイル・デバイスとアクセス・ポイントとの間のラジオ接続に関連付けることと、を含む。一例において、この方法はさらに、第１のＡＰＮへ少なくとも１つの追加のＰＤＮ接続を介して通信するために、アクセス・ポイントとの少なくとも１つの追加のラジオ接続をモバイル・デバイスが利用するか否かを判定することと、少なくとも１つの追加のラジオ接続をモバイル・デバイスが利用すると判定することに少なくとも部分的に基づいて、少なくとも１つの追加のＰＤＮ接続を無効化するか、または、少なくとも１つの追加のＰＤＮ接続を閉じるために、モバイル・デバイスへ無効化メッセージを送信することによって、少なくとも１つの追加のＰＤＮ接続を無効化することと、を含む。
【００１０】
別の態様によれば、無線通信システムにおける同じアクセス・ポイント名（ＡＰＮ）への複数のパケット・データ・ネットワーク（ＰＤＮ）接続の実施のための装置は、プロセッサとメモリとを備えており、このメモリは、第１のＡＰＮへの第１のパケット・データ・ネットワーク（ＰＤＮ）接続に関連するメッセージを、モバイル・デバイスから受信することと、このメッセージに応じて、モバイル・デバイスに関連する第１のＰＤＮ接続を、モバイル・デバイスとアクセス・ポイントとの間のラジオ接続に関連付けることと、を実行するために、プロセッサによって実行可能なプログラム・コードを含んでいる。一例において、メモリはまた、第１のＡＰＮへ少なくとも１つの追加のＰＤＮ接続を介して通信するために、アクセス・ポイントとの少なくとも１つの追加のラジオ接続をモバイル・デバイスが利用するか否かを判定することと、少なくとも１つの追加のラジオ接続をモバイル・デバイスが利用するものと判定することに少なくとも部分的に基づいて、少なくとも１つの追加のＰＤＮ接続を無効化するか、または、少なくとも１つの追加のＰＤＮ接続を閉じるために、少なくとも１つの追加のＰＤＮ接続を無効化することであって、これは、モバイル・デバイスへ無効化メッセージを送信することと、のためのプログラム・コードをも含む。
【００１１】
別の態様によれば、無線通信システムにおける同じアクセス・ポイント名（ＡＰＮ）への複数のパケット・データ・ネットワーク（ＰＤＮ）接続の実施のための装置は、第１のＡＰＮへの第１のパケット・データ・ネットワーク（ＰＤＮ）接続に関連するメッセージを、モバイル・デバイスから受信する手段と、このメッセージに応じて、モバイル・デバイスに関連する第１のＰＤＮ接続を、モバイル・デバイスとアクセス・ポイントとの間のラジオ接続に関連付ける手段と、を含む。一例において、この装置はまた、第１のＡＰＮへ少なくとも１つの追加のＰＤＮ接続を介して通信するために、アクセス・ポイントとの少なくとも１つの追加のラジオ接続をモバイル・デバイスが利用するか否かを判定する手段と、少なくとも１つの追加のラジオ接続をモバイル・デバイスが利用するものと判定することに少なくとも部分的に基づいて、少なくとも１つの追加のＰＤＮ接続を無効化するか、または、少なくとも１つの追加のＰＤＮ接続を閉じるために、モバイル・デバイスへ無効化メッセージを送信することによって、少なくとも１つの追加のＰＤＮ接続を無効化する手段と、を含む。
【００１２】
別の態様によれば、コンピュータ・プログラム製品は、コンピュータに対して、第１のＡＰＮへの第１のパケット・データ・ネットワーク（ＰＤＮ）接続に関連するメッセージを、モバイル・デバイスから受信させ、このメッセージに応じて、モバイル・デバイスに関連する第１のＰＤＮ接続を、モバイル・デバイスとアクセス・ポイントとの間のラジオ接続に関連付けさせる、ためのコードを有するコンピュータ読取可能な媒体を備える。一例において、このコンピュータ・プログラム製品はまた、第１のＡＰＮへ少なくとも１つの追加のＰＤＮ接続を介して通信するために、アクセス・ポイントとの少なくとも１つの追加のラジオ接続をモバイル・デバイスが利用するものか否かを判定し、少なくとも１つの追加のラジオ接続をモバイル・デバイスが利用するものと判定することに少なくとも部分的に基づいて、少なくとも１つの追加のＰＤＮ接続を無効化するか、または、少なくとも１つの追加のＰＤＮ接続を閉じるために、モバイル・デバイスへ無効化メッセージを送信することによって、少なくとも１つの追加のＰＤＮ接続を無効化する、ためのコードを含む。
【００１３】
本開示の潜在的な利点は、同じラジオ・アクセスが、同じアクセス・ポイント名（ＡＰＮ）のために使用されることを保証することを含みうる。
【００１４】
他の態様が、例示によってさまざまな態様が図示および記載された以下の詳細説明から、その他の態様も、当業者に容易に明らかになるであろうことが理解される。これら図面および詳細説明は、本質的に例示的であり、限定的であるとはみなされない。
【図面の簡単な説明】
【００１５】
【図１】図１は、１または複数のアクセス・ポイント名（ＡＰＮ）を介して複数のパケット・データ・ネットワーク（ＰＤＮ）を通信するための無線通信システムの例を例示する。
【図２】図２は、所与のアクセス・ポイント名（ＡＰＮ）に関連する複数のパケット・データ・ネットワーク（ＰＤＮ）のための単一のラジオ接続を実施するための無線通信システムの例を例示する。
【図３ａ】図３ａは、同じアクセス・ポイント名（ＡＰＮ）への複数のパケット・データ・ネットワーク（ＰＤＮ）接続の実施のための第１のフロー図の例を例示する。
【図３ｂ】図３ｂは、同じアクセス・ポイント名（ＡＰＮ）への複数のパケット・データ・ネットワーク（ＰＤＮ）接続の実施のための第２のフロー図の例を例示する。
【図４】図４は、同じアクセス・ポイント名（ＡＰＮ）への複数のパケット・データ・ネットワーク（ＰＤＮ）接続の実施のための第１のデバイスの例を例示する。
【図５ａ】図５ａは、同じアクセス・ポイント名（ＡＰＮ）への複数のパケット・データ・ネットワーク（ＰＤＮ）接続の実施のための第２のデバイスの例を例示する。
【図５ｂ】図５ｂは、同じアクセス・ポイント名（ＡＰＮ）への複数のパケット・データ・ネットワーク（ＰＤＮ）接続の実施のための第３のデバイスの例を例示する。
【図６】図６は、同じアクセス・ポイント名（ＡＰＮ）への複数のパケット・データ・ネットワーク（ＰＤＮ）接続の実施のための処理を実行するための、メモリと通信するプロセッサを含む、デバイスの例を例示する。
【図７】図７は、本開示にしたがう多元接続無線通信システムの例を例示する。
【図８】図８は、複数入力複数出力（ＭＩＭＯ）システムにおける送信機システムおよび受信機システム２５０のブロック図の例を例示する。
【発明を実施するための形態】
【００１６】
添付図面とともに以下に説明する詳細説明は、本開示のさまざまな態様の説明として意図されており、本開示が実現される態様のみを表すことは意図されていない。本開示で記載されたおのおのの態様は、単に、本開示の例示または例として提供されており、他の態様よりも好適であるとか有利であるとか必ずしも解釈されるべきではない。詳細説明は、本開示の完全な理解を提供することを目的とした具体的な詳細を含んでいる。しかしながら、本開示は、これら具体的な詳細なしで実現されうることが当業者に明らかになるだろう。いくつかの事例では、本開示の概念を不明確にすることを避けるために、周知の構成およびデバイスが、ブロック図形式で示される。単に利便性および明確性のために、頭文字および他の記述的な用語が使用されるが、本開示の範囲を限定することは意図されていない。
【００１７】
説明を単純にする目的で、これら方法は、一連の動作として示され説明されているが、これら方法は、１または複数の態様にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はこの代わりに、例えば状態図におけるように、一連の相互関連する状態またはイベントとして表されうることを理解し認識するだろう。さらに、１または複数の態様にしたがって方法を実現するために、必ずしも例示された全ての動作が必要とされる訳ではない。
【００１８】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のようなさまざまな無線通信ネットワークのために使用されうる。「ネットワーク」および「システム」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）および低チップ・レート（ＬＣＲ）を含む。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ｃｄｍａ２０００は、「第３世代パートナシップ計画２」（３ＧＰＰ２）と命名された組織からの文書に記載されている。これらさまざまなラジオ技術および規格は、当該技術分野において知られている。明確化のために、これら技術のある態様は、ＬＴＥまたはＬＴＥ−Ａについて後述されており、ＬＴＥ用語またはＬＴＥ−Ａ用語が、本開示の範囲または精神をＬＴＥシステムまたはＬＴＥ−Ａシステムのみに限定する意図なく、説明のために使用されうる。
【００１９】
論理チャネルは、制御チャネルおよびトラフィック・チャネルに分類されうる。論理制御チャネルは、システム制御情報をブロードキャストするためのＤＬチャネルであるブロードキャスト制御チャネル（ＢＣＣＨ）を含みうる。ページング制御チャネル（ＰＣＣＨ）ページング情報を転送するＤＬチャネルである。マルチキャスト制御チャネル（ＭＣＣＨ）は、１またはいくつかのＭＴＣＨのため、マルチメディア・ブロードキャストおよびマルチキャスト・サービス（ＭＢＭＳ）スケジューリングおよび制御情報を送信するために使用されるポイント・トゥ・マルチポイントＤＬチャネルである。一般に、このチャネルは、ＲＲＣ接続を確立した後、ＭＢＭＳを受信するモバイル・デバイス（別名、ユーザ機器（ＵＥ）または無線デバイス）のみによって使用される。専用制御チャネル（ＤＣＣＨ）は、専用制御情報を送信するポイント・トゥ・ポイント双方向チャネルであり、ＲＲＣ接続を有するモバイル・デバイスによって使用される。論理トラフィック・チャネルは、ユーザ情報を転送するために、１つのモバイル・デバイスに専用のポイント・トゥ・ポイント双方向チャネルである専用トラフィック・チャネル（ＤＴＣＨ）を含みうる。また、マルチキャスト・トラフィック・チャネル（ＭＴＣＨ）は、トラフィック・データを送信するためのポイント・トゥ・マルチポイントＤＬチャネルのために使用されうる。
【００２０】
伝送チャネルは、ダウンリンク（ＤＬ）とアップリンク（ＵＬ）とに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を含む。ＵＥ省電力のサポートのためのＰＣＨ（ＤＲＸサイクルが、ネットワークによってモバイル・デバイスへ示されうる）が、セル全体にわたってブロードキャストされ、他の制御／トラフィック・チャネルのために使用されうるＰＨＹリソースへマップされる。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを含む。ＰＨＹチャネルは、ＤＬチャネルおよびＵＬチャネルのセットを含む。
【００２１】
１つの態様では、ＤＬ  ＰＨＹチャネルは、以下のうちの１または複数を含みうる。  
・共通パイロット・チャネル（ＣＰＩＣＨ）  
・同期チャネル（ＳＣＨ）  
・共通制御チャネル（ＣＣＣＨ）  
・共有ＤＬ制御チャネル（ＳＤＣＣＨ）  
・マルチキャスト制御チャネル（ＭＣＣＨ）  
・共有ＵＬ割当チャネル（ＳＵＡＣＨ）  
・アクノレッジメント・チャネル（ＡＣＫＣＨ）  
・ＤＬ物理共有データ・チャネル（ＤＬ−ＰＳＤＣＨ）  
・ＵＬ電力制御チャネル（ＵＰＣＣＨ）  
・ページング・インジケータ・チャネル（ＰＩＣＨ）  
・負荷インジケータ・チャネル（ＬＩＣＨ）
１つの態様では、ＵＬ  ＰＨＹチャネルは、以下のうちの１または複数を含みうる。  
・物理ランダム・アクセス・チャネル（ＰＲＡＣＨ）  
・チャネル品質インジケータ・チャネル（ＣＱＩＣＨ）  
・アクノレッジメント・チャネル（ＡＣＫＣＨ）  
・アンテナ・サブセット・インジケータ・チャネル（ＡＳＩＣＨ）  
・共有要求チャネル（ＳＲＥＱＣＨ）  
・ＵＬ物理共有データ・チャネル（ＵＬ−ＰＳＤＣＨ）  
・ブロードキャスト・パイロット・チャネル（ＢＰＩＣＨ）
態様では、シングル・キャリア波形の低ピーク対平均電力比（ＰＡＲ）特性を維持するチャネル構造が提供され、所与の時間において、チャネルは、周波数において連続しているか、あるいは一様に間隔が置かれている。本開示の目的のために、以下の略語のうちの１または複数を適用する。  
・  ＡＭ          アクノレッジ・モード  
・  ＡＭＤ        アクノレッジ・モード・データ  
・  ＡＰＮ        アクセス・ポイント名  
・  ＡＲＱ        自動反復要求  
・  ＢＣＣＨ      ブロードキャスト制御チャネル  
・  ＢＣＨ        ブロードキャスト・チャネル  
・  Ｃ−          制御−  
・  ＣＣＣＨ      共通制御チャネル  
・  ＣＣＨ        制御チャネル  
・  ＣＣＴｒＣＨ  符号化された合成伝送チャネル  
・  ＣｏＡ        気付アドレス  
・  ＣＰ          サイクリック・プレフィクス  
・  ＣＲＣ        巡回冗長検査  
・  ＣＴＣＨ      共通トラフィック・チャネル  
・  ＤＣＣＨ      専用制御チャネル  
・  ＤＣＨ        専用チャネル  
・  ＤＬ          ダウンリンク  
・  ＤＳＣＨ      ダウンリンク共有チャネル  
・  ＤＳＭＩＰ    デュアル・スタック・モバイルＩＰ  
・  ＤＴＣＨ      専用トラフィック・チャネル  
・  ＦＡＣＨ      順方向リンク・アクセス・チャネル  
・  ＦＤＤ        周波数分割デュプレクス  
・  ＧＰＲＳ      汎用パケット無線サービス  
・  ＧＴＰ        ＧＰＲＳトンネリング・プロトコル  
・  ＧＷ          ゲートウェイ  
・  ＩＰ          インターネット・プロトコル  
・  Ｌ１          レイヤ１（物理レイヤ）  
・  Ｌ２          レイヤ２（データ・リンク・レイヤ）  
・  Ｌ３          レイヤ３（ネットワーク・レイヤ）  
・  ＬＩ          長さインジケータ  
・  ＬＳＢ        最下位ビット  
・  ＭＡＣ        媒体アクセス制御  
・  ＭＢＭＳ      マルチメディア・ブロードキャスト・マルチキャスト・サービス  
・  ＭＣＣＨ      ＭＢＭＳポイント・トゥ・マルチポイント制御チャネル  
・  ＭＲＷ        動き受信ウィンドウ  
・  ＭＳＢ        最上位ビット  
・  ＭＳＣＨ      ＭＢＭＳポイント・トゥ・マルチポイント・スケジューリング・チャネル  
・  ＭＴＣＨ      ＭＢＭＳポイント・トゥ・マルチポイント・トラフィック・チャネル  
・  ＰＣＣＨ      ページング制御チャネル  
・  ＰＣＨ        ページング・チャネル  
・  ＰＤＵ        プロトコル・データ・ユニット  
・  ＰＤＮ        パケット・データ・ネットワーク  
・  ＰＨＹ        物理レイヤ  
・  ＰｈｙＣＨ    物理チャネル  
・  ＰＭＩＰ      プロキシ・モバイルＩＰ  
・  ＲＡＣＨ      ランダム・アクセス・チャネル  
・  ＲＬＣ        ラジオ・リンク制御  
・  ＲＲＣ        ラジオ・リソース制御  
・  ＳＡＰ        サービス・アクセス・ポイント  
・  ＳＤＵ        サービス・データ・ユニット  
・  ＳＧＷ        サービス提供ゲートウェイ  
・  ＳＨＣＣＨ    共有チャネル制御チャネル  
・  ＳＮ          シーケンス番号  
・  ＳＵＦＩ      スーパ・フィールド  
・  ＴＣＨ        トラフィック・チャネル  
・  ＴＤＤ        時分割デュプレクス  
・  ＴＦＩ        伝送フォーマット・インジケータ  
・  ＴＭ          透過モード  
・  ＴＭＤ        透過モード・データ  
・  ＴＴＩ        送信時間インタバル  
・  Ｕ−          ユーザ−  
・  ＵＥ          ユーザ機器  
・  ＵＬ          アップリンク  
・  ＵＭ          非アクノレッジ・モード  
・  ＵＭＤ        非アクノレッジ・モード・データ  
・  ＵＭＴＳ      ユニバーサル・モバイル通信システム  
・  ＵＴＲＡ      ＵＭＴＳ地上ラジオ・アクセス  
・  ＵＴＲＡＮ    ＵＭＴＳ地上ラジオ・アクセス・ネットワーク  
・  ＭＢＳＦＮ    マルチキャスト・ブロードキャスト単一周波数ネットワーク  
・  ＭＣＥ        ＭＢＭＳ調整エンティティ  
・  ＭＣＨ        マルチキャスト・チャネル  
・  ＤＬ−ＳＣＨ  ダウンリンク共有チャネル  
・  ＭＳＣＨ      ＭＢＭＳ制御チャネル  
・  ＰＤＣＣＨ    物理ダウンリンク制御チャネル  
・  ＰＤＳＣＨ    物理ダウンリンク共有チャネル
１または複数の無線ネットワーク構成要素は、単一のラジオ接続またはラジオ・アクセスを介して、単一のアクセス・ポイント名（ＡＰＮ）へのＰＤＮ接続を利用しうる。１つの態様では、ＡＰＮは、例えばインターネットのような外部ネットワークへ接続するために、モバイル・デバイス（別名、ユーザ機器（ＵＥ））によって使用される、設定可能なネットワーク識別子である。別の態様では、ラジオ接続またはラジオ・アクセスは、モバイル・デバイスを無線ネットワークへ接続するために使用される特定の無線技術である。一例では、ＡＰＮを用いて、複数のＰＤＮへ接続されたモバイル・デバイスによって利用されるアドレスが、各接続のために同じアドレスが使用されるか否かを判定するために確認されうる。使用されると判定されなかった場合には、異なるラジオ接続を用いたＰＤＮ接続が無効化されうる。例において、これらアドレスは、モバイル・デバイス通信が、別のアクセス・ポイントへハンドオーバされた場合に確認されうる。
【００２２】
３ＧＰＰ規格は、モバイル・デバイス（別名、ＵＥ）が、異なるラジオ・アクセスを介して、異なるＡＰＮへの複数のＰＤＮ接続を使用することを明示している。しかしながら、同じＡＰＮへの複数のＰＤＮ接続は、２つの異なるラジオ・アクセスへルーティングできないという制約がある。さらに、３ＧＰＰ規格は、同じＡＰＮへのすべてのＰＤＮ接続が、同じラジオ・アクセスを介してルーティングされることを無線ネットワークが実施するためのメカニズムを規定していない。
【００２３】
単一のＡＰＮとの複数のＰＤＮ接続のために、単一のラジオ接続を実施するための一例として、同じＰＤＮゲートウェイ（ＧＷ）が、同じＡＰＮへの複数のＰＤＮ接続に割り当てられうる。ＰＤＮ  ＧＷは、１つのＰＤＮ接続をターゲット・ラジオ・アクセスへ移動させるためのハンドオーバ・メッセージを受信すると、タイマＴ１を初期化する。一例では、タイマＴ１が終了した場合、または、その他の時点において、ＰＤＮ  ＧＷは、同じＡＰＮへのその他のＰＤＮ接続が、異なるラジオ・アクセスにあるか否かをチェックしうる。例えば、このチェックは、各ＰＤＮのために登録されたＩＰアドレス（例えば、気付アドレス、ＣｏＡ）に基づきうる。異なるラジオ・アクセス内に１または複数のＰＤＮ接続がある場合、ＰＤＮ  ＧＷは、これらＰＤＮ接続を閉じるために、無効化メッセージをＵＥへ送信しうる。
【００２４】
一例では、ジェネリック・トンネリング・プロトコル（ＧＴＰ）が、例えばＬＴＥのような３ＧＰＰのために使用され、アクセスおよびデュアル・スタック・モバイル・インターネット・プロトコル・バージョン６（ＤＳＭＩＰｖ６）が、非３ＧＰＰアクセスのために使用されうる。１つの態様では、ハンドオーバ・メッセージは、新たなＣｏＡを備えた、または、ＣｏＡを備えない（登録解除された）ＤＳＭＩＰｖ６バインディング・アップデート・メッセージでありうる。別の態様では、同じＣｏＡが登録されているか、ＣｏＡが登録されていないかをチェックすることによって、ＰＤＮ  ＧＷは、ＰＤＮ接続が同じラジオ・アクセスからのものであるか否かを比較する。ミスマッチがある場合、ＰＤＮ  ＧＷは、未だに古いアクセスにあるすべてのＰＤＮ接続のためバインディング無効化インジケーション・メッセージを送信するか、または、３ＧＰＰアクセスにおけるＰＤＮ接続を終了させる。
【００２５】
別の例では、ジェネリック・トンネリング・プロトコル（ＧＴＰ）が、例えばＬＴＥのような３ＧＰＰアクセスのために使用され、プロキシ・モバイル・インターネット・プロトコル・バージョン６（ＰＭＩＰｖ６）が、非３ＧＰＰアクセスのために使用されうる。１つの態様では、ハンドオーバ・メッセージは、新たなＣｏＡを備えたＰＭＩＰｖ６プロキシ・バインディング・アップデート・メッセージでありうるか、または、ハンドオーバ・インジケーションを備えた、ＬＴＥを介したＧＴＰベアラ確立メッセージでありうる。別の態様では、同じＡＰＮへのすべてのＰＤＮ接続について、同じＣｏＡが登録されているか、または、ＣｏＡが登録されていないかをチェックすることによって、ＰＤＮ  ＧＷは、ＰＤＮ接続が、同じラジオ・アクセスからのものであるか否かを比較する。ミスマッチがある場合、ＰＤＮ  ＧＷは、未だに古いアクセスにあるすべてのＰＤＮ接続のためバインディング無効化インジケーション・メッセージを送信するか、または、３ＧＰＰアクセスにおけるＰＤＮ接続を終了させる。
【００２６】
図１は、１または複数のアクセス・ポイント名（ＡＰＮ）を介して複数のパケット・データ・ネットワーク（ＰＤＮ）を通信するための無線通信システム１００の例を例示する。図１の例に例示されるように、無線通信システム１００は、モバイル・デバイス１１２（別名、ＵＥ）のためのＰＤＮ１  １０８およびＰＤＮ２  １１０（または、追加のＰＤＮ）へのＡＰＮ１０４アクセスおよびＡＰＮ１０６アクセスを提供するＰＤＮゲートウェイ（ＧＷ）１０２を含む。例えば、ＡＰＮ１０４およびＡＰＮ１０６は、１または複数の無線ネットワークへの接続を１または複数のモバイル・デバイスに提供するアクセス・ポイントに関連しうる。したがって、図示されているように、ＡＰＮ１０４は、モバイル・デバイス１１２に、ＰＤＮ  ＧＷ１０２を介してＰＤＮ１  １０８および／またはＰＤＮ２  １１０へのアクセスを提供しうる。ＡＰＮ１０４およびＡＰＮ１０６、および／または、関連するアクセス・ポイントは、マクロセル・アクセス・ポイント、フェムトセル・アクセス・ポイント、ピコセル・アクセス・ポイント、モバイル基地局、リレー・ノード等でありうる。本明細書では、ＡＰＮのリストが提供されているが、当業者であれば、このリストは、単なる例であって、その他の例を除外しないことを理解するであろう。
【００２７】
さらに、１または複数のサービス提供ゲートウェイ（ＳＧＷ）（図示せず）は、ＡＰＮ１０４（および／またはＡＰＮ１０６）とＰＤＮ  ＧＷ１０２との間の通信を容易にしうることが認識されるべきである。さらに、ＰＤＮ１  １０８およびＰＤＮ２  １１０は、ＰＤＮ  ＧＷ１０２がアクセス（例えば、ＬＴＥ、ＩＰ等）を提供しうる実質的に任意の３ＧＰＰまたは非３ＧＰＰのＰＤＮでありうる。
【００２８】
例によれば、モバイル・デバイス１１２は、ＡＰＮ１０４および／またはＡＰＮ１０６を用いて、ＰＤＮ１  １０８およびＰＤＮ２  １１０に接続しうる。例えば、モバイル・デバイス１１２は、ＡＰＮ１０４を介してＰＤＮ１  １０８とＰＤＮ２  １１０との両方にアクセスする。モバイル・デバイス１１２は、１または複数のラジオ接続を介してＡＰＮ１０４に接続しうる。各ラジオ接続について、ＰＤＮ  ＧＷ１０２は、ＡＰＮ１０４へのそれぞれのラジオ接続を介したＰＤＮ  ＧＷ１０２とモバイル・デバイス１１２との間の通信を識別するために、モバイル・デバイス１１２にアドレス（例えば、ＩＰまたは同様のアドレス）を割り当てうる。無線通信システム１００は、（例えば、３ＧＰＰまたはその他のネットワーク仕様、あるいはその他に準拠するために、）モバイル・デバイス１１２と単一のＡＰＮとの間の単一のラジオ接続を用いて、モバイル・デバイス１１２から複数のＰＤＮへの、単一のＡＰＮを介した接続を実施することを容易にしうる。
【００２９】
したがって、一例において、単一のＡＰＮを用いた複数のＰＤＮ接続のための単一のラジオ接続は、少なくとも、モバイル・デバイス１１２通信がアクセス・ポイントおよび／または関連するＡＰＮの間でハンドオーバした場合に実施されうる。例えば、ＰＤＮ  ＧＷ１０２は、モバイル・デバイス１１２の少なくとも１つのＰＤＮ接続を、ターゲット・アクセス・ポイント、または、例えばＡＰＮ１０６のような関連するＡＰＮへハンドオーバさせるためのメッセージを受信する。ＰＤＮ  ＧＷ１０２は、このメッセージを受信することに少なくとも部分的に基づいて、モバイル・デバイス１１２が、少なくとも１つの別のラジオ接続を用いて、少なくとも１つの別のＰＤＮへのアクセスを受信するためにＡＰＮ１０６に接続するか否かを判定する。この判定は、例えば、１または複数のイベントに基づいて、（例えば、このメッセージが受信された場合に初期化されるタイマにしたがって）ハンドオーバ後、またはハンドオーバ中、またはハンドオーバ前に生じうる。例えば、ＰＤＮ  ＧＷ１０２は、ＡＰＮ１０６における、モバイル・デバイス１１２のＰＤＮ接続のためのアドレスを決定しうる。これらアドレスは、気付アドレス（ＣｏＡ）に関連しうるか、または、モバイル・デバイス１１２とＡＰＮ１０６との間のラジオ接続（単数または複数）のためにＰＤＮ  ＧＷ１０２によって割り当てられたその他のアドレスに関連しうる。一例において、気付アドレス（ＣｏＡ）は、モバイル・デバイス１１２がホーム・アドレスから離れている場合におけるモバイル・デバイス１１２のテンポラリなＩＰアドレスである。
【００３０】
一例において、モバイル・デバイス１１２が、少なくとも１つの別のラジオ接続を介してＡＰＮ１０６に接続しているとＰＤＮ  ＧＷ１０２が判定した場合、ＰＤＮ  ＧＷ１０２は、少なくとも１つの別のラジオ接続を介したＰＤＮ接続を終了させる。例えば、少なくとも１つの別のラジオ接続を介したＰＤＮ接続を閉じるために、ＰＤＮ  ＧＷ１０２は、ＡＰＮ１０６を介してモバイル・デバイス１１２へ無効化メッセージを送信する。したがって、例えば、ＰＤＮ  ＧＷ１０２は、ハンドオーバ・メッセージがＡＰＮ１０６において受信されるＰＤＮ接続のアドレスとは異なる、モバイル・デバイス１１２における、ＡＰＮ１０６とのＰＤＮ接続に関連する１または複数のアドレスを決定し、ＰＤＮ  ＧＷ１０２は、単一のＡＰＮにおける、複数のＰＤＮ接続のための単一のラジオ接続を実施するために、異なるアドレスを有する任意のこのようなＰＤＮ接続を閉じる。
【００３１】
図２は、ハンドオーバを実行することに少なくとも部分的に基づいて、所与のアクセス・ポイント名（ＡＰＮ）に関連する複数のパケット・データ・ネットワーク（ＰＤＮ）のための単一のラジオ接続を実施するための無線通信システム２００の例を例示する。図２に例示されるように、無線通信システム２００の例は、ＡＰＮ１０４およびＡＰＮ１０６に、（図示しない）１または複数のＰＤＮへのアクセスを提供するＰＤＮ  ＧＷ１０２を含む。一方、ＡＰＮ１０４およびＡＰＮ１０６は、ＰＤＮ  ＧＷ１０２（および／または、１または複数のＳＧＷ）を介して、１または複数のＰＤＮへのアクセスを、モバイル・デバイス１１２へ提供しうる。さらに、ＰＤＮ  ＧＷ１０２は、所与のラジオ接続に関連する通信を識別するために、ＡＰＮ１０４，１０６、または、ＰＤＮ  ＧＷ１０２に接続されたその他のＡＰＮとのラジオ接続のために、モバイル・デバイス１１２にアドレスを割り当てうる。
【００３２】
１つの態様では、ＰＤＮ  ＧＷ１０２は、モバイル・デバイス通信をソースＡＰＮ（または、関連するアクセス・ポイント）からターゲットＡＰＮ（または、関連するアクセス・ポイント）へハンドオーバさせることに関連するメッセージを取得するハンドオーバ・メッセージ受信構成要素２０２を含む。ＰＤＮ  ＧＷ１０２はまた、モバイル・デバイス１１２の１または複数のＰＤＮ接続を、ターゲットＡＰＮに関連するラジオ接続（すなわち、ラジオ・アクセス）に相関付けるラジオ接続関連付け構成要素２０４を含みうる。ＰＤＮ  ＧＷ１０２はさらに、モバイル・デバイスと、ハンドオーバ後のターゲットＡＰＮとの間に１または複数の別のラジオ接続が存在するか否かを識別するラジオ接続判定構成要素２０６を含みうる。さらにＰＤＮ  ＧＷ１０２は、モバイル・デバイスとターゲットＡＰＮとの間の１または複数のラジオ接続を終了させるＰＤＮ接続無効化構成要素２０８を含みうる。
【００３３】
一例によれば、モバイル・デバイス１１２は、１または複数のＰＤＮにアクセスするために、ラジオ接続（すなわち、ラジオ・アクセス）を介してＡＰＮ１０４と通信する。それに加えて、モバイル・デバイス１１２は、さらに、あるいは、代わりに、別のＰＤＮへのアクセスを受け取るために、１または複数の別のＡＰＮと通信する。ＡＰＮ１０４、または関連するアクセス・ポイントは、少なくとも１つのＰＤＮ接続のために、モバイル・デバイス１１２通信を、ＡＰＮ１０６または関連するアクセス・ポイントへハンドオーバさせることを決定する。例えば、ＡＰＮ１０４は、これを、近隣ＡＰＮまたは関連するアクセス・ポイントに関連する、モバイル・デバイス１１２から受信した測定レポートに少なくとも部分的に基づいて決定しうる。ＡＰＮ１０４は、ハンドオーバの一部として、例えば、モバイル・デバイス１１２に関連する少なくとも１つのＰＤＮ接続のＡＰＮ１０４からＡＰＮ１０６へのハンドオーバを示すハンドオーバ・メッセージを、ＰＤＮ  ＧＷ１０２へ送信する。ハンドオーバ・メッセージ受信構成要素２０２は、この例では、ＡＰＮ１０４からハンドオーバ・メッセージを取得する。
【００３４】
一例では、ＰＤＮ  ＧＷ１０２はさらに、モバイル・デバイス１１２に関連するＰＤＮ接続のＡＰＮ１０６へのハンドオーバを容易にする。例えば、ＰＤＮ  ＧＷ１０２は、ハンドオーバ中に確立されたモバイル・デバイス１１２とＡＰＮ１０６との間のラジオ接続のための新たなアドレスを割り当て、モバイル・アドレス１１２とＡＰＮ１０４との間の以前の接続に関連するコンテキストまたはその他の情報を、この新たなアドレスに関連付ける。一例では、ラジオ接続関連付け構成要素２０４が、このラジオ接続、新たなアドレス、コンテキスト情報等を、ハンドオーバ・メッセージに示されたＰＤＮ接続に関連付ける。
【００３５】
別の例では、ラジオ接続関連付け構成要素２０４は、このラジオ接続へのアドレスも割り当てる。一例では、ＰＤＮ  ＧＷ１０２は、モバイル・デバイス１１２において、複数のＰＤＮにアクセスするために、ＡＰＮ１０６との単一のラジオ接続を実施しうる。この点に関し、ラジオ接続判定構成要素２０６は、ラジオ接続関連付け構成要素２０４によってＰＤＮ接続に相関付けられたラジオ接続とは異なる１または複数の別のラジオ接続を用いて、モバイル・デバイス１１２がＡＰＮ１０６へ接続しているか否かを判定する。例えば、ラジオ接続判定構成要素２０６は、ハンドオーバ中に確立されたモバイル・デバイス１１２とＡＰＮ１０６との間のラジオ接続に割り当てられたアドレスを決定し、ＡＰＮ１０６を介したモバイル・デバイス１１２のためのその他のＰＤＮ接続が存在するか否かを判定する。ラジオ接続判定構成要素２０６は、モバイル・デバイス１１２とＡＰＮ１０６との間のさらなるＰＤＮ接続を見つけた場合、さらなるＰＤＮ接続が、ハンドーバ中に確立されたラジオ接続とは別のアドレスに対応しているか否かを判定する。
【００３６】
１つの態様では、ラジオ接続判定構成要素２０６が、（例えば、アドレスに基づいて、）異なるラジオ接続に対応するこのようなさらなるＰＤＮ接続を発見した場合、ＰＤＮ接続無効化構成要素２０８は、異なるラジオ接続に対応するＰＤＮ接続を終了させる。例えば、ＰＤＮ接続無効化構成要素２０８は、ＰＤＮ接続を終了させるために、ＰＤＮ接続に関連する無効化メッセージを（例えば、ＡＰＮ１０６を介して）モバイル・デバイス１１２へ送信する。この例では、ＡＰＮにおいて、複数のＰＤＮ接続のための単一のラジオ接続が実施される。さらに、例えば、ラジオ接続判定構成要素２０６は、タイマ、または、ハンドオーバ受信後のその他のイベントに少なくとも部分的に基づいて、モバイル・デバイス１１２とＡＰＮ１０６との間にさらなるＰＤＮ接続が存在するか否かを判定する。例えば、ハンドオーバ・メッセージ受信構成要素２０２が、ハンドオーバ・メッセージを取得した場合、ラジオ接続判定構成要素２０６は、タイマを初期化する。例えば、タイマは、（例えば、ハンドオーバに関連する以前のメトリックに基づいて、例えば、設定された値のような、）ハンドオーバの終了を可能にする値に初期化される。
【００３７】
タイマが終了すると、ラジオ接続判定構成要素２０６は、モバイル・デバイス１１２とＡＰＮ１０６との間にさらなるＰＤＮ接続が存在するか否かを判定する。一例では、ラジオ接続判定構成要素２０６は、このことを、例えば、ハンドオーバ中に別のメッセージまたは通知を受信することのようなイベントに少なくとも部分的に基づいて判定する。
【００３８】
一例によれば、モバイル・デバイス１１２は、３ＧＰＰおよび非３ＧＰＰのＰＤＮへのアクセスを受け取るために、ＡＰＮ１０４への接続を確立する。この点において、ＰＤＮ  ＧＷ１０２はさらに、３ＧＰＰおよび非３ＧＰＰのＰＤＮへのアクセスをＡＰＮ１０４を提供しうる。一例では、３ＧＰＰ  ＰＤＮは、ＰＤＮ  ＧＷ１０２とモバイル・デバイス１１２との間の通信のためにＧＰＲＳトンネリング・プロトコル（ＧＴＰ）を使用するＬＴＥに関連する。また、一例において、非３ＧＰＰ  ＰＤＮは、ＰＤＮ  ＧＷ１０２とモバイル・デバイス１１２との間で通信するためにデュアル・スタック・モバイル・インターネット・プロトコル・バージョン６（ＤＳＭＩＰｖ６）を利用するＩＰネットワークである。ＡＰＮ１０４は、モバイル・デバイス１１２に関連するＰＤＮ接続をＡＰＮ１０６へハンドオーバすることを開始しうる。この例では、ハンドオーバ・メッセージ受信構成要素２０２は、ＡＰＮ１０４および／またはＡＰＮ１０６からＤＳＭＩＰｖ６バインディング・アップデートを取得する。これは、登録解除を示すための新たなアドレス（例えば、ＣｏＡ）を含みうるか、または、アドレスを含まない。
【００３９】
ラジオ接続関連付け構成要素２０４は、新たなアドレスまたは無アドレス、すなわち、モバイル・デバイス１１２とＡＰＮ１０６との間の対応するラジオ接続を、モバイル・デバイス１１２に関連する非３ＧＰＰ接続に相関付けうる。一例では、ラジオ接続判定構成要素２０６は、タイマを初期化する。タイマ値によって、ＡＰＮ１０４もまた、タイマ終了前に、３ＧＰＰ接続をＡＰＮ１０６へハンドオーバさせることが可能となりうる。ＤＳＭＩＰｖ６バインディング・アップデートを受信すると、または、タイマが終了すると、ラジオ接続判定構成要素２０６は、モバイル・デバイス１１２とＡＰＮ１０６との間にさらなるＰＤＮ接続が存在するか否かを判定する。
【００４０】
一例では、ラジオ接続判定構成要素２０６は、モバイル・デバイス１１２とＡＰＮ１０６との間の３ＧＰＰ接続を識別する。この例では、ラジオ接続判定構成要素２０６は、３ＧＰＰ接続に関連付けられたアドレス（例えば，ＣｏＡ）または無アドレスが、ラジオ接続関連付け構成要素２０４によって非３ＧＰＰ接続に関連付けられたものに一致しているか否かを判定する。一致していると判定されなかった場合、異なるＰＤＮのために、モバイル１１２とＡＰＮ１０６との間に複数のラジオ接続が存在し、ＰＤＮ接続無効化構成要素２０８は、この接続を終了させることを容易にするために、３ＧＰＰ接続（および、別のアドレスを有するその他任意の接続）のためのバインディング無効化インジケーションを、モバイル・デバイス１１２へ送信する。ＰＤＮ接続無効化構成要素２０８は、さらに、または、その代わりに、モバイル・デバイス１１２に関連する、別のアドレスを利用するＰＤＮ接続を終了させうることが認識されるべきである。
【００４１】
別の例において、３ＧＰＰ  ＰＤＮは、ＰＤＮ  ＧＷ１０２とモバイル・デバイス１１２との間の通信のためにＧＴＰを使用するＬＴＥに関連しており、非３ＧＰＰ  ＰＤＮは、ＰＤＮ  ＧＷ１０２とモバイル・デバイス１１２との間で通信するためにプロキシ・モバイル・インターネット・プロトコル・バージョン６（ＰＭＩＰｖ６）を利用するＩＰネットワークである。ＡＰＮ１０４は、モバイル・デバイス１１２の通信をＡＰＮ１０６へハンドオーバさせることを開始する。この例において、ハンドオーバ・メッセージ受信構成要素２０２は、ＡＰＮ１０４および／またはＡＰＮ１０６からＰＭＩＰｖ６バインディング・アップデートを取得しうる。これは、ＬＴＥにおけるＧＴＰベアラ確立または新たなアドレス（例えば、ＣｏＡ）を、ハンドオーバ・インジケーションとともに含みうる。ラジオ接続関連付け構成要素２０４は、新たなアドレス、すなわち、モバイル・デバイス１１２とＡＰＮ１０６との間の対応するラジオ接続を、モバイル・デバイス１１２に関連するＰＤＮ接続のうちの１つに相関付ける。一例では、ラジオ接続構成要素２０６は、タイマを初期化する。ＰＭＩＰｖ６バインディング・アップデートまたはＧＴＰベアラ確立をハンドオーバ・インジケーションとともに受信し、タイマが終了すると、ラジオ接続判定構成要素２０６は、モバイル・デバイス１１２とＡＰＮ１０６との間にさらなるＰＤＮ接続が存在するか否かを判定する。存在すると判定された場合、ラジオ接続判定要請要素２０６は、さらなるＰＤＮ接続に関連するアドレス（例えば、ＣｏＡ）が、ハンドオーバ・インジケーションとともにＧＴＰベアラ確立またはＰＭＩＰｖ６バインディング・アップデートで受信された新たなアドレスのものであって、ラジオ接続関連付け構成要素２０４によってラジオ接続に関連付けられたアドレスと一致するか否かを判定する。一致すると判定されなかった場合、異なるＰＤＮについて、ＡＰＮ１０６とモバイル・デバイス１１２との間に複数のラジオ接続が存在し、ＰＤＮ接続無効化構成要素２０８は、これらの接続を終了させることを容易にするために、別のアドレスを利用する接続（単数または複数）のためのバインディング無効化インジケーションを送信する。ＰＤＮ接続無効化構成要素２０８は、さらに、または、その代わりに、モバイル・デバイス１１２に関連する、別のアドレスを利用するＰＤＮ接続を終了させうることが認識されるべきである。
【００４２】
図３ａは、同じアクセス・ポイント名（ＡＰＮ）への複数のパケット・データ・ネットワーク（ＰＤＮ）接続の実施のための第１のフロー図３００の例を例示する。ブロック３１０では、モバイル・デバイスの通信を、ソース・アクセス・ポイントからターゲット・アクセス・ポイントへハンドオーバさせることに関連するハンドオーバ・メッセージを受信する。例えば、ハンドオーバ・メッセージは、ハンドオーバされるべきモバイル・デバイスのパケット・データ・ネットワーク（ＰＤＮ）接続を示すインジケーションを含みうる。
【００４３】
ブロック３２０では、このハンドオーバ・メッセージに応じて、モバイル・デバイスに関連する１または複数のパケット・データ・ネットワーク（ＰＤＮ）接続を、モバイル・デバイスとターゲット・アクセス・ポイントとの間のラジオ接続に関連付ける。一例において、このラジオ接続は、ハンドオーバ・メッセージにおいて指定され、サービス提供アクセス・ポイントとのラジオ接続から、ハンドオーバ中に確立されたターゲット・アクセス・ポイントとの別のラジオ接続へ関連付けられる。一例において、関連付けるステップは、ラジオ接続に対応するアドレスを受信することと、１または複数のＰＤＮ接続をアドレスに関連付けることと、を含む。
【００４４】
ブロック３３０では、少なくとも１つの別のＰＤＮ接続を介して通信するために、モバイル・デバイスが、ターゲット・アクセス・ポイントとの、少なくとも１つの別のラジオ接続を利用しているか否かを判定する。一例において、これは、１または複数のＰＤＮ接続に関連付けられたラジオ接続のアドレスを、少なくとも１つの別のＰＤＮ接続に関連付けられた別のラジオ接続のアドレスと比較することに少なくとも部分的に基づいて判定されうる。また、別の例では、判定するステップは、少なくとも１つの別のラジオ接続に関連する別のアドレスが、ラジオ接続に対応するアドレスと異なるか否かを判定することを含む。
【００４５】
ブロック３４０では、少なくとも１つの別のラジオ接続が存在する場合、少なくとも１つの別のＰＤＮ接続を無効化する。一例において、無効化するステップは、少なくとも１つの別のＰＤＮ接続を閉じるために、無効化メッセージを、モバイル・デバイスへ送信することを含む。一例において、この無効化メッセージは、ＰＭＩＰｖ６プロキシ・バインディング・アップデート・メッセージのバインディング無効化インジケーション・メッセージである。１つの態様では、図３ａの第１のフロー図のステップはさらに、ハンドオーバ・メッセージを受信すると、タイマを初期化することを含む。また、一例において、判定するステップは、タイマの終了後に実行される。
【００４６】
図３ｂは、同じアクセス・ポイント名（ＡＰＮ）への複数のパケット・データ・ネットワーク（ＰＤＮ）接続の実施のための第２のフロー図３５０の例を例示する。ブロック３６０では、第１のＡＰＮへの第１のパケット・データ・ネットワーク（ＰＤＮ）接続に関連するメッセージを、モバイル・デバイスから受信する。ブロック３７０では、このメッセージに応じて、モバイル・デバイスに関連する第１のＰＤＮ接続を、モバイル・デバイスとアクセス・ポイントとの間のラジオ接続に関連付ける。１つの態様では、第２のフロー図３５０はまた、ブロック３８０および／またはブロック３９０を含む。ブロック３８０では、第１のＡＰＮへ少なくとも１つの追加のＰＤＮ接続を介して通信するために、モバイル・デバイスが、アクセス・ポイントとの少なくとも１つの追加のラジオ接続を利用するか否かを判定する。ブロック３９０では、少なくとも１つの追加のラジオ接続をモバイル・デバイスが利用すると判定することに少なくとも部分的に基づいて、少なくとも１つの追加のＰＤＮ接続を無効化する。
【００４７】
図４は、同じアクセス・ポイント名（ＡＰＮ）への複数のパケット・データ・ネットワーク（ＰＤＮ）接続の実施のための第１のデバイス４００の例を例示する。このデバイス４００は、通信デバイスとして、または、通信デバイス内で使用するためのプロセッサまたは類似のデバイスとして構成されうる。図示するように、デバイス４００は、プロセッサ、ソフトウェア、ハードウェア、またはこれらの組み合わせ（例えば、ファームウェア）によって実現される機能を表す機能ブロックを含みうる。
【００４８】
例示されるように、デバイス４００は、ソース・アクセス・ポイントからターゲット・アクセス・ポイントへのモバイル・デバイスの通信をハンドオーバすることに関連するハンドオーバ・メッセージを受信するための電子構成要素４１０を含みうる。デバイス４００は、このハンドオーバ・メッセージに応じて、モバイル・デバイスに関連する１または複数のパケット・データ・ネットワーク（ＰＤＮ）接続を、モバイル・デバイスとターゲット・アクセス・ポイントとの間のラジオ接続に関連付けるための電子構成要素４２０を含みうる。デバイス４００は、少なくとも１つの別のＰＤＮ接続を介して通信するために、モバイル・デバイスが、ターゲット・アクセス・ポイントとの少なくとも１つの別のラジオ接続を利用するか否かを判定するための電子構成要素４３０を含みうる。デバイス４００は、少なくとも１つの別のラジオ接続が存在する場合、少なくとも１つの別のＰＤＮ接続を無効化するための電子構成要素４４０を含みうる。１つの態様では、電子構成要素４１０−４４０は、図３ｂの第２のフロー図で示される機能を実行しうる。ここで、電子構成要素４１０は、ブロック３６０に対応し、電子構成要素４２０は、ブロック３７０に対応し、電子構成要素４３０は、ブロック３８０に対応し、電子構成要素４４０は、ブロック３９０に対応する。
【００４９】
デバイス４００は、オプションとして、少なくとも１つのプロセッサを有するプロセッサ・モジュール４０２を含みうる。１つの態様では、デバイス４００は、プロセッサとしてではなく、通信ネットワーク・エンティティとして構成されうる。このような場合、プロセッサ４０２は、バス（図示せず）または類似の通信カップリングを介して、電子構成要素４１０−４４０と動作可能に通信しうる。プロセッサ４０２は、電子構成要素４１０−４４０によって実行される処理または機能の開始およびスケジューリングを有効にしうる。
【００５０】
関連する態様では、デバイス４００は、トランシーバ・モジュール（図示せず）を含みうる。トランシーバ・モジュールの代わりに、または、トランシーバ・モジュールと連携して、スタンド・アロン受信機および／またはスタンド・アロン送信機が使用されうる。関連するさらなる態様では、デバイス４００は、オプションとして、例えばメモリ・モジュール４１２のように、情報を格納するためのモジュールを含みうる。メモリ・モジュール４１２は、コンピュータ読取可能な媒体を含むことができ、（図示しない）バス等によって、デバイス４００のその他の構成要素に動作可能に接続されうる。メモリ・モジュール４１２は、電子構成要素４１０−４４０、これらのサブ構成要素、またはプロセッサ４０２、あるいは、本明細書で開示された方法の処理および挙動を有効にするためのコンピュータ読取可能なコード、命令群、およびデータを格納するように適応されうる。メモリ・モジュール４１２は、電子構成要素４１０−４４０に関連付けられた機能を実行するためのコード／命令群を保持しうる。メモリ・モジュール４１２の外側にあるとして示されているが、電子構成要素４１０−４４０は、メモリ・モジュール４１２内に存在しうることが理解されるべきである。
【００５１】
当業者であれば、図３ａおよび図３ｂにおけるフロー図の例で開示されるステップは、本開示の範囲および精神から逸脱することなく、他の順序に相互交換されうることを理解するであろう。さらに、当業者であれば、このフロー図内で例示されているステップは限定的ではなく、その他のステップも含まれうるか、あるいは、このフロー図の例におけるステップのうちの１または複数が、本開示の範囲および精神に悪影響を与えることなく削除されうることを理解するであろう。
【００５２】
当業者であればさらに、本明細書で開示された例に関連して記載されたさまざまな例示的な構成要素、論理ブロック、モジュール、回路、および／または、アルゴリズム・ステップが、電子工学ハードウェア、ファームウェア、コンピュータ・ソフトウェア、あるいはこれらの組み合わせによって実現されることを理解するであろう。ハードウェア、ファームウェア、およびソフトウェアの相互置換性を明確に例示するために、例示的なさまざまな構成要素、ブロック、モジュール、回路、および／または、アルゴリズム・ステップが、それらの機能の観点から一般的に記述された。これら機能がハードウェア、ファームウェア、またはソフトウェアとして実現されるかは、特定のアプリケーションおよびシステム全体に課せられている設計制約に依存する。当業者であれば、特定のアプリケーションのおのおのに応じて変化する方式で、前述した機能を実現することができる。しかしながら、この適用判断は、本発明の範囲または精神からの逸脱をもたらすものと解釈されるべきではない。
【００５３】
例えば、ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラマブル論理回路（ＰＬＤ）、フィールド・プログラマブル・ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。ソフトウェアを用いて、本明細書に記載された機能を実行するモジュール（例えば、手順、機能等）によって実現される。ソフトウェア・コードは、メモリ・ユニット内に格納され、プロセッサによって実行されうる。さらに、本明細書で記載された例示的なさまざまなフロー図、論理ブロック、モジュール、および／または、アルゴリズム・ステップはまた、当該技術で周知の任意のコンピュータ読取可能な媒体で伝送されるコンピュータ読取可能な命令群としてコード化されるか、あるいは、当該技術で周知の任意のコンピュータ・プログラム製品で実現されうる。１つの態様では、コンピュータ読取可能な媒体は、非一時的なコンピュータ読取可能な媒体を含む。
【００５４】
１または複数の例では、ここで説明されたステップまたは機能が、ハードウェア、ソフトウェア、ファームウェア、またはこれらの任意の組み合わせで実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を含みうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。前述した組み合わせもまた、コンピュータ読取可能な媒体の範囲内に含まれるべきである。
【００５５】
図５ａは、同じアクセス・ポイント名（ＡＰＮ）への複数のパケット・データ・ネットワーク（ＰＤＮ）接続の実施のための第２のデバイス５００の例を例示する。１つの態様では、第２のデバイス５００は、ブロック５１０，５２０，５３０，５４０に記載されているように、同じアクセス・ポイント名（ＡＰＮ）への複数のパケット・データ・ネットワーク（ＰＤＮ）接続の実施の別の態様を提供するように構成された１または複数のモジュールを含む少なくとも１つのプロセッサによって実現される。例えば、おのおののモジュールは、ハードウェア、ファームウェア、ソフトウェア、あるいはこれらの任意の組み合わせを含む。１つの態様では、第２のデバイス５００は、少なくとも１つのプロセッサと通信する少なくとも１つのメモリによって実現される。
【００５６】
図５ｂは、同じアクセス・ポイント名（ＡＰＮ）への複数のパケット・データ・ネットワーク（ＰＤＮ）接続の実施のための第３のデバイス５５０の例を例示する。１つの態様では、第３のデバイス５５０は、ブロック５６０，５７０，５８０，５９０に記載されているように、同じアクセス・ポイント名（ＡＰＮ）への複数のパケット・データ・ネットワーク（ＰＤＮ）接続の実施の別の態様を提供するように構成された１または複数のモジュールを含む少なくとも１つのプロセッサによって実現される。例えば、おのおののモジュールは、ハードウェア、ファームウェア、ソフトウェア、あるいはこれらの任意の組み合わせを含む。１つの態様では、第３のデバイス５５０は、少なくとも１つのプロセッサと通信する少なくとも１つのメモリによって実現される。
【００５７】
一例では、本明細書で説明されたような、実例となる構成要素、フロー図、論理ブロック、モジュール、および／または、ステップが、１または複数のプロセッサを用いて実施または実現される。１つの態様では、プロセッサはメモリに接続されている。このメモリは、本明細書に記載されたさまざまなフロー図、論理ブロック、および／または、モジュールを実施または実現するためにプロセッサによって実行されるべきデータ、メタデータ、プログラム命令群等を格納する。図６は、同じアクセス・ポイント名（ＡＰＮ）への複数のパケット・データ・ネットワーク（ＰＤＮ）接続の実施のための処理を実行するための、メモリ６２０と通信するプロセッサ６１０を含むデバイス６００の例を示す。一例において、デバイス６００は、図３ａおよび図３ｂに例示されたアルゴリズムを実施するために使用される。１つの態様では、メモリ６２０はプロセッサ６１０内に位置する。別の態様では、メモリ６２０はプロセッサ６１０外に存在する。１つの態様では、プロセッサは、本明細書に記載されたさまざまなフロー図、論理ブロック、および／または、モジュールを実装または実現する回路を含む。
【００５８】
図７は、本開示にしたがう多元接続無線通信システムの例を例示する。アクセス・ポイント７００（ＡＰ）は、複数のアンテナ・グループを含んでいる。１つのグループは７０４，７０６を含み、他のグループは７０８，７１０を含み、さらに他のグループは７１２，７１４を含む。１つの態様では、アクセス・ポイント７００は、図１に例示されているＡＰＮ１０４，１０６に関連付けられている。
【００５９】
図７では、２本のアンテナだけが各アンテナ・グループのために示されている。しかしながら、２本より多い、または、２本より少ないアンテナが、各アンテナ・グループのために利用されうる。モバイル・デバイス７１６はアンテナ７１２，７１４と通信しており、ここで、アンテナ７１２，７１４は、順方向リンク７２０でモバイル・デバイス７１６へ情報を送信し、逆方向リンク７１８でモバイル・デバイス７１６から情報を受信する。モバイル・デバイス７２２は、アンテナ７０６，７０８と通信する。ここで、アンテナ７０６，７０８は、順方向リンク７２６でモバイル・デバイス７２２へ情報を送信し、逆方向リンク７２４でモバイル・デバイス７２２から情報を受信する。ＦＤＤシステムでは、通信リンク７１８，７２０，７２４，７２６は、通信のために、異なる周波数を使用しうる。例えば、順方向リンク７２０は、逆方向リンク７１８によって使用されるものとは異なる周波数を使用しうる。
【００６０】
通信するように設計された領域および／またはアンテナのおのおののグループは、しばしば、アクセス・ポイントのセクタと称される。１つの態様では、おのおののアンテナ・グループは、アクセス・ポイント７００によってカバーされる領域のセクタ内のモバイル・デバイスへ通信するように設計される。
【００６１】
順方向リンク７２０，７２６による通信では、アクセス・ポイント７００の送信アンテナは、他のモバイル・デバイス７１６，７２２の順方向リンクの信号対雑音比を改善するためにビームフォーミングを利用する。１つの態様では、有効通信範囲内にランダムに散在したアクセス端末に送信するために、ビームフォーミングを用いるアクセス・ポイントは、すべてのアクセス端末に対して単一のアンテナを用いて送信するアクセス・ポイントよりも、近隣セル内のアクセス端末に対して少ない干渉しかもたらさない。
【００６２】
アクセス・ポイントは、モバイル・デバイスと通信するために使用される固定局であり、ノードＢ、ｅノードＢ、またはその他いくつかの用語でも称されうる。モバイル・デバイスはまた、アクセス端末、ユーザ機器（ＵＥ）、無線通信デバイス、端末、あるいはその他いくつかの専門用語で称されうる。
【００６３】
図８は、複数入力複数出力（ＭＩＭＯ）システム８００における（アクセス・ポイントとしても知られている）送信機システム８１０および（モバイル・デバイスまたはアクセス端末としても知られている）受信機システム８５０のブロック図である。送信機システム８１０では、データ・ソース８１２から提供された多くのデータ・ストリーム用のトラフィック・データが、データソース８１２から送信（Ｔｘ）データ・プロセッサ８１４に提供される。
【００６４】
１つの態様では、データ・ストリームはおのおのの、それぞれの送信アンテナを介して送信される。ＴＸデータ・プロセッサ８１４は、おのおののデータ・ストリームのトラフィック・データ・ストリームをフォーマットし、このデータ・ストリームのために選択された特定の符号化スキームに基づいて符号化し、インタリーブして、符号化されたデータを提供する。おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、またはＭ−ＱＡＭ等）に基づいて変調（例えば、シンボル・マップ）され、変調シンボルが提供される。おのおののデータ・ストリームのデータ・レート、符号化、および変調は、プロセッサ８３０によって実行される命令群によって決定されうる。
【００６５】
すべてのデータ・ストリームの変調シンボルは、（例えば、ＯＦＤＭのために）変調シンボルをさらに処理するＴＸ  ＭＩＭＯプロセッサ８２０に提供される。ＴＸ  ＭＩＭＯプロセッサ８２０はその後、ＮＴ個の変調シンボル・ストリームを、ＮＴ個の送信機（ＴＭＴＲ）８２２ａ乃至８２２ｔへ提供する。１つの態様では、ＴＸ  ＭＩＭＯプロセッサ８２０は、データ・ストリームのシンボル、および、そのシンボルが送信されるアンテナへ、ビームフォーミング重みを適用する。
【００６６】
おのおのの送信機８２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機８２２ａ乃至８２２ｔからのＮＴ個の変調信号は、その後、ＮＴ個のアンテナ８２４ａ乃至８２４ｔそれぞれから送信される。
【００６７】
受信機システム８５０では、送信された変調信号は、ＮＲ個のアンテナ８５２ａ乃至８５２ｒによって受信され、おのおののアンテナ８５２から受信された信号が、それぞれの受信機（ＲＣＶＲ）８５４ａ乃至８５４ｒへ提供される。おのおのの受信機８５４は、受信したそれぞれの信号を調整（例えば、フィルタ、増幅、およびダウンコンバート）し、調整された信号をデジタル化して、サンプルを提供する。さらに、これらサンプルを処理して、対応する「受信された」シンボル・ストリームを提供する。
【００６８】
ＲＸデータ・プロセッサ８６０は、ＮＲ個の受信機８５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ８６０は、その後、検出されたおのおののシンボル・ストリームを復調し、デインタリーブし、復号して、そのデータ・ストリームのためのトラフィック・データを復元する。ＲＸデータ・プロセッサ８６０による処理は、送信機システム８１０におけるＴＸ  ＭＩＭＯプロセッサ８２０およびＴＸデータ・プロセッサ８１４によって実行されるものと相補的である。
【００６９】
プロセッサ８７０は、前述したように、どのプリコーディング行列を使用するのかを定期的に決定する。プロセッサ８７０は、行列インデクス部およびランク値部を含む逆方向リンク・メッセージを規定する。
【００７０】
逆方向リンク・メッセージは、通信リンクおよび／または受信されたデータ・ストリームに関するさまざまなタイプの情報を含みうる。逆方向リンク・メッセージは、その後、多くのデータ・ストリームのトラフィック・データをデータ・ソース８３６から受け取るＴＸデータ・プロセッサ８３８によって処理され、変調器８８０によって変調され、送信機８５４ａ乃至８５４ｒによって調整され、送信機システム８１０へ送り戻される。
【００７１】
送信機システム８１０では、受信機システム８５０からの変調信号が、アンテナ８２４によって受信され、受信機８２２によって調整され、復調器８４０によって復調され、ＲＸデータ・プロセッサ８４２によって処理されて、受信機システム８５０によって送信された逆方向リンク・メッセージを抽出する。さらに、プロセッサ８３０は、ビームフォーミング重みを決定するためにどのプリコーディング行列を使用するかを決定するために、この抽出されたメッセージを処理する。
【００７２】
開示された態様の前述した説明は、いかなる当業者であっても、本開示を製造または使用できるように適用される。これらの態様へのさまざまな変形は、当業者に容易に明らかであって、本明細書で定義された一般原理は、本開示の精神または範囲から逸脱することなく、他の態様に適用されうる。
【図１】
2013538483.tif 000003
【図２】
2013538483.tif 000004
【図３ａ】
2013538483.tif 000005
【図３ｂ】
2013538483.tif 000006
【図４】
2013538483.tif 000007
【図５ａ】
2013538483.tif 000008
【図５ｂ】
2013538483.tif 000009
【図６】
2013538483.tif 000010
【図７】
2013538483.tif 000011
【図８】
2013538483.tif 000012
【国際調査報告】
2013538483.tif 000013
2013538483.tif 000014
2013538483.tif 000015